(57)【要約】【課題】  より少ない洗浄水量にて横引配管における汚物の停滞を抑制することが可能な水洗大便器を提供する。【解決手段】  ボウル部と、ボウル部に洗浄水を吐水する吐水部と、使用者による洗浄動作に基づいて吐水部からの吐水を制御する制御部と、を備え、制御部は、使用者による洗浄動作を検知する洗浄動作検知手段と、洗浄動作検知手段が前記洗浄動作を検知した時刻と所定時間帯とを比較する時刻比較手段と、吐水部から洗浄水を吐水させて、汚物受け面を洗浄し汚物を排水路に向けて流すための第一洗浄、及び、第一洗浄に続き、汚物に後続して洗浄水を排水路に向けて流す第二洗浄を実施する洗浄工程実施手段と、時刻比較手段の比較結果に基づいて、洗浄動作検知手段が洗浄動作を検知した時刻が所定時間帯内である場合、第二洗浄の洗浄水量を上昇させる時間帯洗浄水量判断手段と、を有する水洗大便器。【選択図】  図１
2017048673.tif 000002
【特許請求の範囲】
【請求項１】
洗浄水源から供給される洗浄水により便器を洗浄して汚物を排出する水洗大便器であって、
ボウル形状の汚物受け面を有するボウル部と、このボウル部の下方に接続され汚物を排出する排水路と、前記ボウル部に洗浄水を吐水する吐水部と、使用者による洗浄動作に基づいて前記吐水部からの吐水を制御する制御部と、を備え、
前記制御部は、
使用者による洗浄動作を検知する洗浄動作検知手段と、
前記洗浄動作検知手段が前記洗浄動作を検知した時刻と所定時間帯とを比較する時刻比較手段と、
前記吐水部から洗浄水を吐水させて、前記汚物受け面を洗浄し汚物を前記排水路に向けて流すための第一洗浄、及び、前記第一洗浄に続き、汚物に後続して洗浄水を前記排水路に向けて流す第二洗浄を実施する洗浄工程実施手段と、
前記時刻比較手段の比較結果に基づいて、前記洗浄動作検知手段が前記洗浄動作を検知した時刻が所定時間帯内である場合、前記第二洗浄の洗浄水量を上昇させる時間帯洗浄水量判断手段と、を有する水洗大便器。
【請求項２】
洗浄水源から供給される洗浄水により便器を洗浄して汚物を排出する水洗大便器であって、
ボウル形状の汚物受け面を有するボウル部と、このボウル部の下方に接続され汚物を排出する排水路と、前記ボウル部に洗浄水を吐水する吐水部と、使用者による洗浄動作に基づいて前記吐水部からの吐水を制御する制御部と、を備え、
前記制御部は、
使用者による洗浄動作を検知する洗浄動作検知手段と、
前記洗浄動作検知手段が前記洗浄動作を検知した時刻に基づいた前回の便器の洗浄からの経過時間と所定間隔とを比較する間隔比較手段と、
前記吐水部から洗浄水を吐水させて、前記汚物受け面を洗浄し汚物を前記排水路に向けて流すための第一洗浄、及び、前記第一洗浄に続き、汚物に後続して洗浄水を前記排水路に向けて流す第二洗浄を実施する洗浄工程実施手段と、
前記間隔比較手段の比較結果に基づいて、前回の便器の洗浄からの経過時間が所定間隔を越えていた場合、前記第二洗浄の洗浄水量を上昇させる経過時間洗浄水量判断手段と、を有する水洗大便器。
【発明の詳細な説明】
【技術分野】
【０００１】
本発明は、洗浄水源から供給される洗浄水により便器を洗浄して汚物を排出する水洗大便器に関する。
【背景技術】
【０００２】
水洗式大便器の使用回数又は使用時間の間隔をカウントし、所定のカウント値に達すると水洗式便器に便器洗浄水とは別に搬送用の水を供給する汚物搬送システムが知られている（例えば、特許文献１参照）。
【先行技術文献】
【特許文献】
【０００３】
【特許文献１】特許第４０９４７９７号公報
【発明の概要】
【発明が解決しようとする課題】
【０００４】
近年、節水化が要求されており、より洗浄水量を小さくすることが求められているが、上述した汚物搬送システムにおいては、搬送用の水は通常の便器洗浄水量より大であり、節水化を十分に果たすことができない懸念がある。
【０００５】
本発明は、上述した問題を解決するためになされたものであり、より少ない洗浄水量にて横引配管における汚物の停滞を抑制することが可能な水洗大便器を提供することを目的とする。
【課題を解決するための手段】
【０００６】
本発明は、洗浄水源から供給される洗浄水により便器を洗浄して汚物を排出する水洗大便器であって、ボウル形状の汚物受け面を有するボウル部と、このボウル部の下方に接続され汚物を排出する排水路と、前記ボウル部に洗浄水を吐水する吐水部と、使用者による洗浄動作に基づいて前記吐水部からの吐水を制御する制御部と、を備え、前記制御部は、使用者による洗浄動作を検知する洗浄動作検知手段と、前記洗浄動作検知手段が前記洗浄動作を検知した時刻と所定時間帯とを比較する時刻比較手段と、前記吐水部から洗浄水を吐水させて、前記汚物受け面を洗浄し汚物を前記排水路に向けて流すための第一洗浄、及び、前記第一洗浄に続き、汚物に後続して洗浄水を前記排水路に向けて流す第二洗浄を実施する洗浄工程実施手段と、前記時刻比較手段の比較結果に基づいて、前記洗浄動作検知手段が前記洗浄動作を検知した時刻が所定時間帯内である場合、前記第二洗浄の洗浄水量を上昇させる時間帯洗浄水量判断手段と、を有する水洗大便器である。
【０００７】
このように構成された本発明においては、より少ない洗浄水量にて横引配管における汚物の停滞を抑制することができる。
【０００８】
また、本発明は、洗浄水源から供給される洗浄水により便器を洗浄して汚物を排出する水洗大便器であって、ボウル形状の汚物受け面を有するボウル部と、このボウル部の下方に接続され汚物を排出する排水路と、前記ボウル部に洗浄水を吐水する吐水部と、使用者による洗浄動作に基づいて前記吐水部からの吐水を制御する制御部と、を備え、前記制御部は、使用者による洗浄動作を検知する洗浄動作検知手段と、前記洗浄動作検知手段が前記洗浄動作を検知した時刻に基づいた前回の便器の洗浄からの経過時間と所定間隔とを比較する間隔比較手段と、前記吐水部から洗浄水を吐水させて、前記汚物受け面を洗浄し汚物を前記排水路に向けて流すための第一洗浄、及び、前記第一洗浄に続き、汚物に後続して洗浄水を前記排水路に向けて流す第二洗浄を実施する洗浄工程実施手段と、前記間隔比較手段の比較結果に基づいて、前回の便器の洗浄からの経過時間が所定間隔を越えていた場合、前記第二洗浄の洗浄水量を上昇させる経過時間洗浄水量判断手段と、を有する水洗大便器である。
【０００９】
このように構成された本発明においては、より少ない洗浄水量にて横引配管における汚物の停滞を抑制することができる。
【発明の効果】
【００１０】
本発明の水洗大便器によれば、より少ない洗浄水量にて横引配管における汚物の停滞を抑制することが可能となる。
【図面の簡単な説明】
【００１１】
【図１】本発明の第一実施形態による水洗大便器を示す部分側面断面図。
【図２】本発明の第一実施形態における水洗大便器の制御的な構成を示すブロック図。
【図３】本発明の第一実施形態における水洗大便器の動作を示すフローチャート。
【図４】本発明の第二実施形態における水洗大便器を示す部分側面断面図。
【図５】本発明の第二実施形態における水洗大便器の動作を示すフローチャート。
【発明を実施するための形態】
【００１２】
以下、図面を参照して本発明の第一実施形態による水洗大便器について説明する。
まず、図１により本発明の第一実施形態による水洗大便器の構成について説明する。図１は本発明の第一実施形態による水洗大便器を示す部分側面断面図である。
図１に示すように、本発明の第一実施形態に係る水洗大便器１は、サイホン作用により汚物を押し流す、いわゆる、サイホン式の水洗大便器であり、この水洗大便器１は、床面Ｆに載置される陶器製の便器本体２（便器）を備え、この便器本体２の上部の前方側にはボウル部４が形成され、便器本体２の中央後方側の下方にはボウル部４と連通する排水トラップ管路８（排水路）が、それぞれ形成されている。
【００１３】
本実施形態における水洗大便器１は、洗浄水源Ｓから電磁弁である給水弁５を介して供給された洗浄水を貯水する貯水タンク１０（タンク部）を備える。貯水タンク１０内には電磁弁である排水弁１５が設けられ、使用者の操作レバー１１の操作により、排水弁１５が開いて便器本体２の吐水部２０に洗浄水が供給されるようになっている。
また、貯水タンク１０は、その内部の水位が止水水位より上昇した場合に排水弁１５を開閉せずにボウル部４へ洗浄水を排水するオーバーフロー手段７を有する。
なお、本実施形態においては、操作レバー１１への操作により吐水部２０に洗浄水が供給されるが、本発明はこのような形態に限定されるものではなく、例えば、リモコンのスイッチへの操作や、人体検知センサによる使用者の検知等の他の使用者の洗浄動作により吐水部へ洗浄水が供給されてもよい。
【００１４】
また、水洗大便器１は、使用者による洗浄動作に基づいて吐水部２０からの吐水を制御する制御部６を備える。制御部６についての詳細は後述する。
【００１５】
ボウル部４は、ボウル形状に形成された汚物受け面１４と、ボウル部４の全周の上方外側に形成されて便器の上部縁を形成するリム部１６とを備えている。また、ボウル部４の下方には、溜水部１８が形成されている。この溜水部１８には洗浄水が毎回の洗浄後に所定量まで貯溜されて溜水面Ｗが形成されている。この溜水部１８の下方には、上述した排水トラップ管路８の入口８ａが開口し、排水トラップ管路８の下降路８ｂの下端は排水ソケット９を介して床下の横引配管１２に接続されている。
【００１６】
貯水タンク１０から供給される洗浄水は、排水弁１５を経て、吐水口２０からリム部１６と汚物受け面１４との間の面上且つリム部１６の内周壁面上に便器前方方向に吐水されて旋回流が形成され、この旋回流がリム部１６の内周壁面から汚物受け面１４上を溜水部１８の方向に旋回しながら流下する下降流が形成されるようになっている。
【００１７】
次に、図２を参照して本発明の第一実施形態における水洗大便器の制御部の機能的な構成について説明する。図２は本発明の第一実施形態における水洗大便器の制御的な構成を示すブロック図である。
制御部６は、時刻を計時する計時手段６２と、メモリ６４（記憶手段）とを有し、操作レバー１１や貯水タンク１０内に設けられた水位センサ（図示せず）から出力される信号を受け取って所定の情報処理を行い、その情報処理の結果実行する制御に応じた制御信号を給水弁１１、排水弁１５に出力する。その結果、制御部６は、洗浄動作検知手段、時刻比較手段、洗浄工程実施手段、洗浄水量判断手段として機能する。このように構成された制御部６は、水洗大便器１の使用状況の特性や使用者の特性に合わせて様々な制御を行うことが可能になる。
【００１８】
制御部６は、使用者による操作レバー１１への操作を検知する洗浄動作検知手段と、洗浄動作検知手段が操作レバー１１への操作を検知した時刻と所定時間帯とを比較する時刻比較手段と、洗浄動作検知手段が操作レバー１１への操作を検知した時刻に基づき、メモリ６４に記憶された前回の操作レバー１１への操作を検知した時刻からの経過時間と所定間隔とを比較する間隔比較手段と、を有する。
さらに、制御部６は、吐水部２０から洗浄水を吐水させて、汚物受け面１４を洗浄し汚物を排水トラップ管路８に向けて流すための第一洗浄、及び、この第一洗浄に続き、汚物に後続して洗浄水を排水トラップ管路８に向けて流す第二洗浄を実施する洗浄工程実施手段を有する。
また、制御部６は、時刻比較手段の比較結果に基づいて、洗浄動作検知手段が操作レバー１１への操作を検知した時刻が所定時間帯内である場合、第二洗浄の洗浄水量を上昇させる時間帯洗浄水量判断手段と、間隔比較手段の比較結果に基づいて、前回の操作レバー１１への操作を検知した時刻からの経過時間が所定間隔を越えていた場合、第一洗浄の洗浄水量を上昇させる経過時間洗浄水量判断手段と、を有する。
【００１９】
次に、図３を参照して本発明の第一実施形態における水洗大便器の動作について説明する。図３は本発明の第一実施形態における水洗大便器の動作を示すフローチャートである。
図３に示すように、使用者が操作レバー１１を使用者が操作することで、便器洗浄操作が行われる（ステップＳ３０２）。便器洗浄操作が行われると、制御部６は、この時刻を時刻Ａとしてメモリ６４に記憶する（ステップＳ３０４）。
【００２０】
次に、制御部６は、排水弁１５を駆動させ、吐水部２０から洗浄水を吐水させることで洗浄工程実施手段により便器洗浄ａを実施する（ステップＳ３０６）。この際、吐水部２０から洗浄水を吐水させて、汚物受け面１４を洗浄し汚物を排水トラップ管路８に向けて流すための第一洗浄の洗浄水量は２．４Ｌ（リットル）であり、第一洗浄に続き、汚物に後続して洗浄水を排水トラップ管路８に向けて流す第二洗浄の洗浄水量も同様に２．４Ｌである。
【００２１】
次に、制御部６は、メモリ６４に記憶している時刻Ａから所定時間Ｅが経過しているか否かを判断する（ステップＳ３０８）。時刻Ａから所定時間Ｅが経過している場合（ステップＳ３０８：ＹＥＳ）、排水弁１５を閉止した状態で給水弁５を開放し、貯水タンク１０内へ洗浄水を供給する。その結果、貯水タンク１０内の水位が止水水位よりも上昇し、オーバーフロー手段７により、排水弁１５を開閉することなく、ボウル部４へ洗浄水を供給する。これにより、溜水部１８に洗浄水が供給され、排水トラップ管路８から横引配管１２へと洗浄水が供給される。
これにより、横引配管１２において停滞する汚物の上流側の洗浄水を補充することができる。
なお、本実施形態においては、オーバーフロー手段７によりボウル部４へ洗浄水を供給したが、本発明はこのような形態に限定されるものではなく、他の手段により供給されてもよい。例えば、制御部により制御され使用者の局部を洗浄するノズルを有した衛生洗浄装置を便器本体に設け、オーバーフロー手段に代えて、ノズルからボウル部へ洗浄水を吐水してもよい。
【００２２】
また、時刻Ａから所定時間Ｅが経過していない場合に（ステップＳ３０８：ＮＯ）、使用者が操作レバー１１を使用者が操作することで、便器洗浄操作が行われる（ステップＳ３１２）と、制御部６は、この時刻を時刻Ｂとしてメモリ６４に記憶する（ステップＳ３１３）。
【００２３】
次に、制御部６は、時刻比較手段により、時刻Ｂが所定時間帯Ｃ内であるか否かを判断する（ステップＳ３１４）。この所定時間帯Ｃは午前中であり、例えば午前８時〜１２時である。時刻Ｂが所定時間帯Ｃ内である場合（ステップＳ３１４：ＹＥＳ）、制御部６は、洗浄工程実施手段により便器洗浄ｂを実施する（ステップＳ３１６）。この際、制御部６は、時間帯洗浄水量判断手段により、第二洗浄の洗浄水量を上昇させる。その結果、吐水部２０から洗浄水を吐水させて、汚物受け面１４を洗浄し汚物を排水トラップ管路８に向けて流すための第一洗浄の洗浄水量は２．４Ｌであり、第一洗浄に続き、汚物に後続して洗浄水を排水トラップ管路８に向けて流す第二洗浄の洗浄水量は３．６Ｌである。
これにより、横引配管１２内において汚物をより搬送しやすくすることができる。
なお、本発明においては、所定時間帯Ｃは、水洗大便器１の使用頻度等の使用状況から制御部６により変更されるものとしてもよい。
【００２４】
次に、時刻Ｂが所定時間帯Ｃ内でない場合（ステップＳ３１４：ＮＯ）、制御部６は、時刻比較手段により、時刻Ｂが所定時間帯Ｄ内であるか否かを判断する（ステップＳ３１８）。この所定時間帯Ｄは夜間であり、例えば午後１１時〜午前１時である。時刻Ｂが所定時間帯Ｄ内である場合（ステップＳ３１８：ＹＥＳ）、制御部６は、洗浄工程実施手段により便器洗浄ｃを実施する（ステップＳ３２０）。この際、制御部６は、第一洗浄及び第二洗浄の洗浄水量を上昇させる。その結果、吐水部２０から洗浄水を吐水させて、汚物受け面１４を洗浄し汚物を排水トラップ管路８に向けて流すための第一洗浄の洗浄水量は４．８Ｌであり、第一洗浄に続き、汚物に後続して洗浄水を排水トラップ管路８に向けて流す第二洗浄の洗浄水量も同様に４．８Ｌである。
これにより、横枝配管１２内において汚物が停滞することを抑制することができる。
なお、本発明においては、所定時間帯Ｄは、水洗大便器１の使用頻度等の使用状況から制御部６により変更されるものとしてもよい。
【００２５】
時刻Ｂが所定時間帯Ｄ内でない場合（ステップＳ３１８：ＮＯ）、制御部６は、間隔比較手段により、時刻Ａから時刻Ｂの経過時間である経過時間Ｘが、第一所定間隔Ｅを越えているか否かを判断する（ステップＳ３２２）。この第一所定間隔Ｅは、横引配管１２において停滞する汚物の上流側の洗浄水が無くならない時間間隔であり、例えば１時間である。
【００２６】
次に、経過時間Ｘが、第一所定間隔Ｅを越えている場合（ステップＳ３２２：ＹＥＳ）、制御部６は、経過時間Ｘが第二所定間隔Ｆを越えているか否かを判断する（ステップＳ３２３）。この第二所定間隔Ｆは、横引配管１２において停滞する汚物が横引配管１２の内壁に密着する時間であり、例えば６時間である。
【００２７】
経過時間Ｘが第二所定間隔Ｆを越えている場合（ステップＳ３２３：ＹＥＳ）、制御部６は、洗浄工程実施手段により便器洗浄ｃを実施する（ステップＳ３２４）。この際、制御部６は、第一洗浄及び第二洗浄の洗浄水量を上昇させる。その結果、吐水部２０から洗浄水を吐水させて、汚物受け面１４を洗浄し汚物を排水トラップ管路８に向けて流すための第一洗浄の洗浄水量は４．８Ｌであり、第一洗浄に続き、汚物に後続して洗浄水を排水トラップ管路８に向けて流す第二洗浄の洗浄水量も同様に４．８Ｌである。
【００２８】
これにより、横枝配管１２内において汚物が停滞することを抑制することができる。
経過時間Ｘが第二所定間隔Ｆを越えていない場合（ステップＳ３２３：ＮＯ）、制御部６は、洗浄工程実施手段により便器洗浄ｄを実施する（ステップＳ３２６）。この際、制御部６は、経過時間洗浄水量判断手段により、第一洗浄の洗浄水量を上昇させる。その結果、吐水部２０から洗浄水を吐水させて、汚物受け面１４を洗浄し汚物を排水トラップ管路８に向けて流すための第一洗浄の洗浄水量は３．６Ｌであり、第一洗浄に続き、汚物に後続して洗浄水を排水トラップ管路８に向けて流す第二洗浄の洗浄水量は２．４Ｌである。
これにより、横引配管１２内にて停滞していた汚物に対して今回排出した汚物が乗り上げて横引配管１２が閉塞してしまうことを抑制することができる。
【００２９】
次に、経過時間Ｘが、第一所定間隔Ｅを越えていない場合（ステップＳ３２２：ＮＯ）、制御部６は、洗浄工程実施手段により便器洗浄ａを実施する（ステップＳ３２８）。この際、吐水部２０から洗浄水を吐水させて、汚物受け面１４を洗浄し汚物を排水トラップ管路８に向けて流すための第一洗浄の洗浄水量は２．４Ｌであり、第一洗浄に続き、汚物に後続して洗浄水を排水トラップ管路８に向けて流す第二洗浄の洗浄水量も同様に２．４Ｌである。
【００３０】
上述した本発明の第一実施形態による水洗大便器１によれば、制御部６は、所定時間帯にて洗浄動作検知手段が洗浄動作を検知した際、第二洗浄の洗浄水量を上昇させるため、汚物の横引配管１２における搬送性を向上させることができる。また、所定時間帯を水洗大便器１の使用時間間隔が開くであろう時間帯とすることで、使用時間間隔が比較的大きく開いて横引配管１２内に汚物が停滞していたとしても、ボウル部４から汚物とともに洗浄水を横引配管１２内へより多く流し込むことができる。従って、横引配管１２が閉塞してしまうことを抑制することができる。
【００３１】
次に、本発明の第二実施形態について、図４にて説明する。図４は本発明の第二実施形態における水洗大便器を示す部分側面断面図である。
図４に示すように、本発明の第二実施形態に係る水洗大便器１００は、トイレ室の床面Ｆに載置される便器本体２００（便器）と、この便器本体２００の後方に配置されパネル（図示せず）により覆われる機能部３００とを備える。
【００３２】
便器本体２００は、汚物を受ける汚物受け面を有するボウル部２１０と、このボウル部２１０の底部から後方へ延びる排水トラップ管路２２０（排水路）とを有する。ボウル部２１０にはリム吐水を行うリム吐水口２１２（吐水部）及びジェット吐水を行うジェット吐水口２１４（吐水部）が形成されている。リム吐水口２１２は、ボウル部２１０の左側上部後方に形成され、ボウル部２１０の上縁に沿って洗浄水を吐出する。ジェット吐水口２１４は、ボウル部２１０の底部に形成され、ボウル部２１０底部及び排水トラップ管路２２０に向けて洗浄水を吐出する。排水トラップ管路２２０は、封水を形成するとともに、排水ソケット９を介して床下の横引配管１２と連通している。
【００３３】
機能部３００は、リム吐水及びジェット吐水を行うために制御部５００によって制御されるバルブユニット６００と、このバルブユニット６００の下流に設けられ洗浄水が貯水される貯水タンク８００と、この貯水タンク８００内の下流に設けられ洗浄水を加圧する加圧ポンプ９００が設けられている。
【００３４】
制御部５００は、第一実施形態と同様に、使用者による洗浄動作の検知や貯水タンク８００内に設けられた水位センサ（図示せず）から出力される信号を受け取って所定の情報処理を行い、その情報処理の結果実行する制御に応じた制御信号をバルブユニット６００、加圧ポンプ９００に出力する。その結果、制御部５００は、洗浄動作検知手段、時刻比較手段、洗浄工程実施手段、洗浄水量判断手段として機能する。このように構成された制御部５００は、水洗大便器１００の使用状況の特性や使用者の特性に合わせて様々な制御を行うことが可能になる。
【００３５】
バルブユニット６００の上流側には、給水源Ｓからの洗浄水を供給する給水路３２０が接続される。バルブユニット６００の下流側には、リム吐水口２１２に洗浄水を供給するためのリム側給水路３４０、及び、貯水タンク８００に洗浄水を供給するためのタンク側給水路３６０が接続されている。また、バルブユニット６００は、定流量弁６２０と、この定流量弁６２０下流に設けられるダイヤフラム式の主弁６４０と、この主弁６４０下流に設けられる給水路切替弁６６０と、この給水路切替弁６６０下流に設けられるバキュームブレーカ６８０とを有する。
【００３６】
定流量弁６２０は、給水路３２０から定流量弁６２０に流れ込んで下流側へ向かう洗浄水の流量を一定にする。主弁６４０は、その開閉により、リム吐水口２１２及びジェット吐水口２１４における洗浄水の吐水と止水とを切替える。給水路切替弁６６０は、リム側給水路３４０またはタンク側給水路３６０へ向けて洗浄水を供給する。また、給水路切替弁６６０は、リム側給水路３４０及びタンク側給水路３６０にともに同じタイミングにて洗浄水を供給可能であって、リム側給水路３４０及びタンク側給水路３６０へ供給する洗浄水の量の割合を任意に変更できる。バキュームブレーカ６８０は上流側への洗浄水の逆流を防止する。
【００３７】
貯水タンク８００の下部には、ポンプ側給水路３７０が接続されており、このポンプ側給水路３７０の下流端には加圧ポンプ９００が接続されている。さらに、加圧ポンプ９００とジェット吐水口２１４はジェット側給水路３８０により接続されており、加圧ポンプ９００が、貯水タンク８００に貯水された洗浄水を加圧してジェット吐水口２１４まで供給するようになっている。
【００３８】
次に、図５を参照して本発明の第二実施形態における水洗大便器の動作について説明する。図５は本発明の第二実施形態における水洗大便器の動作を示すフローチャートである。
図５に示すように、使用者による便器洗浄操作が行われる（ステップＳ５０２）と、制御部５００は、この時刻を時刻Ｇとして記憶する（ステップＳ５０４）。
【００３９】
次に、制御部５００は、バルブユニット６００の主弁６４０、給水路切替弁６６０、及び、加圧ポンプ９００を制御することで洗浄工程実施手段により通常洗浄である便器洗浄ｅを実施する（ステップＳ５０６）。具体的には、まず、リム吐水口２１２及びジェット吐水口２１４から洗浄水を吐水させることで汚物受け面を洗浄してサイホン作用を生じさせ、汚物を排水トラップ管路２２０に向けて流すための第一洗浄を実施する。その後、リム吐水口２１２から洗浄水を吐水させることでボウル部２１０に溜水を補充しつつ汚物に後続して洗浄水を排水トラップ管路２２０に向けて流す第二洗浄を実施する。
なお、第一洗浄の洗浄水量は３．６Ｌであり、第二洗浄の洗浄水量は２．４Ｌである。
【００４０】
次に、制御部５００は、間隔比較手段により記憶している時刻Ｇから所定時間Ｈが経過しているか否かを判断する（ステップＳ５０８）。時刻Ｇから所定時間Ｈが経過している場合（ステップＳ５０８：ＹＥＳ）、使用者による便器洗浄操作が行われる（ステップＳ５１０）と、制御部５００は、バルブユニット６００の主弁６４０、給水路切替弁６６０、及び、加圧ポンプ９００を制御することで洗浄工程実施手段により、通常洗浄よりも第二洗浄の洗浄水量を上昇させた便器洗浄ｆを実施する（ステップＳ５１２）。具体的には、まず、リム吐水口２１２及びジェット吐水口２１４から洗浄水を吐水させることでボウル部２１０の汚物受け面を洗浄してサイホン作用を生じさせ、汚物を排水トラップ管路２２０に向けて流すための第一洗浄を実施する。その後、リム吐水口２１２から洗浄水を吐水させることでボウル部２１０に溜水を補充しつつ汚物に後続して洗浄水を排水トラップ管路２２０に向けて流す第二洗浄を実施する。
なお、第一洗浄の洗浄水量は３．６Ｌであり、第二洗浄の洗浄水量は４．４Ｌである。また、所定時間Ｈは、例えば、横引配管１２において停滞する汚物が横引配管１２の内壁に密着する時間（例えば６時間）であり、例えば、横引配管１２において停滞する汚物が乾くまでの時間である（例えば、２４時間）。
【００４１】
制御部５００は、便器洗浄ｆの実施（ステップＳ５１２）後、使用者による便器洗浄操作が行われる（ステップＳ５０２）と、制御部５００は、この時刻を時刻Ｇとして記憶する（ステップＳ５０４）。次に、制御部５００は、バルブユニット６００の主弁６４０、給水路切替弁６６０、及び、加圧ポンプ９００を制御することで洗浄工程実施手段により通常洗浄である便器洗浄ｅを実施する（ステップＳ５０６）。
【００４２】
また、制御部５００は、間隔比較手段により時刻Ｇから所定時間Ｈが経過していないと判断した場合（ステップＳ５０８：ＮＯ）、使用者による便器洗浄操作が行われる（ステップＳ５０２）と、制御部５００は、この時刻を時刻Ｇとして記憶する（ステップＳ５０４）。次に、制御部５００は、バルブユニット６００の主弁６４０、給水路切替弁６６０、及び、加圧ポンプ９００を制御することで洗浄工程実施手段により通常洗浄である便器洗浄ｅを実施する（ステップＳ５０６）。
【００４３】
上述した本発明の第二実施形態による水洗大便器１００によれば、制御部５００は、通常洗浄後、間隔比較手段により所定時間Ｈが経過した否かを判断し、経過していた際、第二洗浄の洗浄水量を増加させる。従って、横引配管１２にて汚物が停滞し、横引配管１２が閉塞してしまうことを抑制することができる。また、上述した第二実施形態による水洗大便器１００によれば、使用者の洗浄動作に基づいて第二洗浄の洗浄水量を増加させた上で便器本体２の洗浄を行う。そのため、例えば、便器の洗浄後、所定時間が経過した際に使用者の洗浄動作がなくとも便器の洗浄を行い横引配管に洗浄水を供給する場合に比べ、使用者の洗浄動作に基づき便器を洗浄して汚物を排出するとともに横引配管１２が閉塞してしまうことを抑制することができ、使用者に違和感を与えにくい。
【符号の説明】
【００４４】
１        水洗大便器
２        便器本体（便器）
４        ボウル部
５        給水弁
６        制御部
７        オーバーフロー手段
８        排水トラップ管路（排水路）
８ａ      入口
８ｂ      下降路
９        排水ソケット
１０      貯水タンク（タンク部）
１１      操作レバー
１２      横引配管
１４      汚物受け面
１５      排水弁
１６      リム部
２０      吐水部
６２      計時手段
６４      メモリ
１００    水洗大便器
２００    便器本体（便器）
２１０    ボウル部
２１２    リム吐水口（吐水部）
２１４    ジェット吐水口（吐水部）
２２０    排水トラップ管路（排水路）
３００    機能部
３２０    給水路
３４０    リム側給水路
３６０    タンク側給水路
３７０    ポンプ側給水路
３８０    ジェット側給水路
３９０    排水路
６００    バルブユニット
６２０    定流量弁
６４０    主弁
６６０    給水路切替弁
６８０    バキュームブレーカ
８００    貯水タンク（タンク部）
９００    加圧ポンプ
Ｆ        床面
Ｓ        洗浄水源
【図１】
2017048673.tif 000003
【図２】
2017048673.tif 000004
【図３】
2017048673.tif 000005
【図４】
2017048673.tif 000006
【図５】
2017048673.tif 000007